(57)【要約】      （修正有）【課題】空の硬質容器に軟弱な詰替用袋の内容物を一人で容易に充填することのできる液剤補充用漏斗を提供する。【解決手段】この漏斗は本体の上縁付近に吸盤を取り付けた漏斗であって、該吸盤の取付け方向が漏斗の上部開口が形成する面とほぼ直交する面への吸着が可能である。好ましくは漏斗が吸盤に対して揺動自在であり、その揺動面が吸盤の吸着面にほぼ直交する。漏斗の下部流出口の吸盤取付け面側が上方に向けて緩やかな円弧状に傾斜している。漏斗本体の下部流出口の断面形状がほぼＤ型である。【選択図】図１
0003104326.tif 000002
【実用新案登録請求の範囲】
【請求項１】
上縁付近に吸盤を取り付けた漏斗であって、該吸盤の取付け方向が該漏斗の上部開口が形成する面とほぼ直交する面への吸着が可能である漏斗。
【請求項２】
漏斗が上部開口及び下部流出口を有し、これらの間を流体が流下可能に筒状に閉じてなる請求項１の漏斗。
【請求項３】
漏斗が吸盤に対して揺動自在であり、その揺動面が吸盤の吸着面にほぼ直交する請求項１又は２の漏斗。
【請求項４】
漏斗の下部流出口の吸盤取付け面側が上方に向けて緩やかな円弧状に傾斜している請求項１〜３いずれかの漏斗。
【請求項５】
漏斗本体の下部流出口の断面形状がほぼＤ型である請求項１〜４いずれかの漏斗。
【考案の詳細な説明】
【技術分野】
【０００１】
本考案は、各種液体、粉体などの流体などを容器に供給するために用いられる。例えばヘアーシャンプー、ヘアーリンス、あるいは粉洗剤などを空の容器に詰め替えるのに用いる。
【背景技術】
【０００２】
シャンプー、ヘアーリンスなどの毛髪化粧料、各種食器用の洗剤などは比較的硬い合成樹脂製の容器に充填されている。これら液剤用の容器は比較的肉厚でプラスチック原料を多く用いるため、洗剤の中身がなくなる度に廃棄すると資源節約の面から好ましくない。また、空容器は嵩張り資源ゴミとしての回収も容易でない。近年、環境保全に対する意識の高まりから、薄い軟質合成樹脂製の詰替用洗剤を包装して販売し、これを硬質合成樹脂製容器に移し替え、硬質容器を繰り返し使用することが広く行われている。
このような作業には、軟弱な詰替用袋に入った液剤を注意深くこぼさないように内容物の移し替える必要がある。また、漏斗を使用して移し替えを行う場合は容器の口に差し込んだ漏斗が不安定で、片手で漏斗を支えつつもう一方の手で軟弱な袋を傾け移し替えを行う必要があるなど作業性は悪い。
【特許文献１】特開２００１−１２２３９５号公報
【０００３】
本考案の目的は前記の作業性の問題点を解消しようとするものであり、空の硬質容器に軟弱な詰替用袋の内容物を一人で容易に充填することのできる液剤補充用漏斗を提供することにある。
【考案の開示】
【０００４】
本考案は上縁付近に吸盤を取り付けた漏斗であって、該吸盤の取付け方向が該漏斗の上部開口が形成する面とほぼ直交する面への吸着が可能である漏斗を提供するものである。この漏斗は上部開口及び下部流出口を有し、これらの間を各種液剤などの流体が流下可能に筒状に閉じている。また、漏斗が吸盤に対して揺動自在であり、その揺動面が吸盤の吸着面にほぼ直交するのが好ましい。漏斗の下部流出口の吸盤取付け面側が切欠いてなるのが好ましい。漏斗本体の下部流出口の断面形状がほぼＤ型であるのが好ましい。
【考案を実施するための最良の形態】
【０００５】
以下に本考案の具体例を図面を参照しながら詳しく説明する。図１は本考案漏斗の一具体例を示す斜視図、図２はその正面図であり、図３は側面図である。図４は図２におけるＡ−Ａ線断面図、図５は図３におけるＢ−Ｂ線断面図である。図６は本考案の漏斗を用いて洗剤の移し替えを行っているところを示す説明図である。
図１〜４に示すとおり、本考案の漏斗１０の本体１１の上縁１２には流体が注ぎ込まれる開口１３が形成される。一方、漏斗本体１１の下部には流出管１４が設けられ、該流出管の先端には流出口１５が形成される。前記の開口１３と流出口１５との間は通常の漏斗の機能をなし液体や粉体などの流体が外部に散逸せずに流出口１５に向け流下するよう筒状の閉じた壁面１６を形成する。また、漏斗の上縁１２は外に向け折り返した鍔１７が設けられている。上縁の方向からみた開口１３の形状は、おおよそＤ字型をなし、開口１３の一部がおおよそ平面状の背面１８を形成し、他の部分が湾曲部を形成する。
【０００６】
図３に示すように、吸盤２１の取付け方向は漏斗本体１１の開口１３が形成する面とほぼ直交する面Ｘへの吸着が可能な状態に設ける。ここでほぼ直交するとは、吸盤にて面Ｘに吸着した時に、開口１３の上方より流体を投入し得る空間が確保できる角度をなすことを意味する。すなわち、開口１３とほぼ平行な面を取りつけ面とする吸盤配置を排除するものである。
図３，４に示す具体例では吸盤２１は背面１８の上縁１２に設けた回転軸１９に回動自在に取り付けられる。したがって、吸盤２１の取付け方向は漏斗本体１１の上部開口１３が形成する面とほぼ直交する面Ｘへ取りつけることができ、これを中心に漏斗１０が吸盤２１に対して揺動自在で、その揺動面は吸盤２１の吸着面Ｘにほぼ直交する。なお、吸盤２１はプラスチック製などの従来公知の形状のものであってよい。
【０００７】
図３，４に示すように本考案の具体例では、漏斗の下部先端の流出口１５は一般の漏斗と異なり、流体の流れ方向に対して直交せず背面１８側、すなわち吸盤取付け面側が上方に向けて緩やかな円弧状に傾斜している。流出口１５にこのような円弧状の傾斜を設けることにより、空の容器を斜め下方より差し込み、容器の口に漏斗の流出口１５を容易に差し込むことができる。
また、図３，５に示すように漏斗の流出管１４から流出口１５にかけては、断面形状をＤ型とするのがよい。このような形状とすることにより粘ちょうな溶液の詰め替え時も、空の容器内の空気を流出管１４の外側に生ずる隙間より外部に逃がし内容物の詰め替え操作が容易となる。
【０００８】
前記の本考案の漏斗は、図６に示すように、例えば洗剤の詰め替えにあたり空容器３０の口部３１に流出管１４を挿入し、補充用袋３２から洗剤などの流体を漏斗の開口に注ぐ。流体は漏斗１０の内部を流下し本体下部の流出口より、空の容器に注ぎ込まれ詰め替えが行われる。
このような詰め替え作業の終了後、漏斗１０はそのまま吸盤２１により浴室、洗面所の壁面に吸着させたまま放置してもよく、収納スペースを割くこともなく次回の使用にも便利である。
本考案の漏斗は例えばハンドソープ、食器用液体洗剤、ボディソープ、ヘアーシャンプー、ヘアーリンスその他の液剤や、流動性のある粉粒体などの種々の流体の詰め替えに用いられる。
【０００９】
［考案の効果］
本考案の漏斗を用いると、軟弱な詰替用の袋の内容物を空の硬質容器に充填するにあたり、一人であっても両手で軟質容器を支えて内容物を容易に充填することができ、作業が安定して確実に行える。
【図面の簡単な説明】
【００１０】
【図１】本考案の漏斗の一具体例を示す斜視図である。
【図２】図１の正面図である。
【図３】図１の側面図である。
【図４】図２におけるＡ−Ａ線断面図である。
【図５】図３におけるＢ−Ｂ線断面図である。
【図６】本考案の漏斗を用い液体の詰め替えを行っているところを示す説明図である。
【符号の説明】
【００１１】
１０  漏斗
１１  漏斗本体
１２  上縁
１３  開口
１４  流出管
１５  流出口
１６  壁面
１７  鍔
１８  背面
１９  回転軸
２１  吸盤
３０  空容器
３１  口部
３２  補充用袋
【図１】
0003104326.tif 000003
【図２】
0003104326.tif 000004
【図３】
0003104326.tif 000005
【図４】
0003104326.tif 000006
【図５】
0003104326.tif 000007
【図６】
0003104326.tif 000008